(57)【要約】【課題】フルカラー画像形成装置でありながら、白黒画像形成装置と同等のファーストコピー時間が得られる画像形成装置を提供することにある。【解決手段】感光体４０上に黒色を含む複数の色毎に静電潜像を作る作像装置２０と、静電潜像を色毎にトナー像にする現像装置と、感光体４０上に形成されたトナー像を順次中間像担持体１０に転写する転写装置と、中間像担持体１０に形成されたトナー像を給紙装置２から搬送された転写紙Ｐに任意のバイアイスを印加することによって転写紙Ｐに画像を転写する転写紙転写装置２２と、さらに該転写紙転写装置２２の下流において転写紙Ｐ上のトナー像を定着せしめる定着装置２５と、を具備する画像形成装置において、黒色トナー像以外のトナー像を選択的に中間像担持体１０に転写する。【選択図】図３
2009210939.tif 000002
【特許請求の範囲】
【請求項１】
感光体上に黒色を含む複数の色毎に静電潜像を作る作像装置と、前記静電潜像を色毎にトナー像にする現像装置と、前記感光体上に形成されたトナー像を順次中間像担持体に転写する転写装置と、前記中間像担持体に形成されたトナー像を給紙装置から搬送された転写紙に任意のバイアイスを印加することによって前記転写紙に画像を転写する転写紙転写装置と、さらに該転写紙転写装置の下流において前記転写紙上のトナー像を定着せしめる定着装置と、を具備する画像形成装置において、黒色トナー像以外のトナー像を選択的に前記中間像担持体に転写することを特徴とする画像形成装置。
【請求項２】
感光体上に黒色を含む複数の色毎に静電潜像を作る作像装置と、前記静電潜像を色毎にトナー像にする現像装置と、前記感光体上に形成されたトナー像を順次中間像担持体に転写する転写装置と、前記中間像担持体に形成されたトナー像を給紙装置から搬送された転写紙に任意のバイアイスを印加することで前記転写紙上にトナー像を転写する形成せしめる写紙転写装置と、さらに該転写紙転写装置の下流において前記転写紙上のトナー像を定着せしめる定着装置と、を具備する画像形成装置において、前記中間像担持体上に転写された黒色以外のトナー像を、黒色トナー像を作像する感光体上に転写させることを特徴とする画像形成装置。
【請求項３】
前記中間像担持体に転写された前記黒色以外のトナー像が、前記黒色トナー像より前に該黒色トナー像を作像する前記感光体に転写されることを特徴とする請求項２記載の画像形成装置。
【請求項４】
前記黒色以外のトナー像が、前記黒色トナー像より後に該黒色トナー像を作像する前記感光体に転写されることを特徴とする請求項２記載の画像形成装置。
【請求項５】
感光体上に黒色を含む複数の色毎に静電潜像を作る装置と、前記静電潜像を色毎にトナー像にする現像装置と、前記感光体上に形成されたトナー像を順次中間像担持体にする転写装置と、当該像担持体に形成されたトナー像を給紙装置から搬送された転写紙に任意のバイアイスを印加することで前記転写紙上にトナー像を転写する転写紙転写装置と、さらに該転写紙転写装置の下流において前記転写紙上のトナー像を定着せしめる定着装置と、を具備し、黒色のトナー像以外を選択的に前記中間像担持体に転写する画像形成装置において、前記中間像担持体に転写された黒色以外のトナー像を前記転写紙に直接転写することを特徴とする画像形成装置。
【請求項６】
前記黒色以外のトナー像を黒色トナー像より先に前記転写紙に転写することを特徴とする請求項５記載の画像形成装置。
【請求項７】
前記黒色以外のトナー像を前記黒色トナー像より後に前記転写紙に転写することを特徴とする請求項５記載の画像形成装置。
【請求項８】
前記中間像担持体に前記黒色のトナー像以外のトナー像を選択的に転写し、前記中間像担持体は前記黒色トナー像を作像する前記感光体に対してのみ接離可能とすることを特徴とする請求項５記載の画像形成装置。
【請求項９】
前記中間像担持体を前記転写紙に対して接離可能とすることを特徴とする請求項５記載の画像形成装置。
【発明の詳細な説明】
【技術分野】
【０００１】
本発明は、タンデム型の作像装置を使用する複写機、プリンタ等の画像形成装置に関するものである。
【背景技術】
【０００２】
フルカラー画像形成装置において、複数の感光体を転写紙又は中間転写体に対向させて並べて配置するタンデム方式は１ドラム方式に比べて早い速度でカラー複写が可能であり、カラー複写機の高速化に適合しているので、好都合な方式としてその種々の技術が開発されている。
タンデム方式では、とくに中間転写体である中間転写ベルトの進行方向での最下流にトナーを含むチリが発生し易いという最下流特有の問題がある。この問題は上流のトナーが下流の転写ニップを通過する際に帯電量が高くなり、転写ベルトとトナーの付着力を確保できるのに対して、最下流色は転写した際の帯電量のみであることから、十分な帯電量を得ることができないため発生すると考えられる。
そこで、タンデム方式における中間転写ベルトの進行方向での最下流のトナーにチリが発生し易いという最下流特有の問題を解決するために、従来から種々の技術が提案されている（例えば、特許文献１参照）。
特許文献１は、上流側３色の転写バイアスを共通の供給電源系統から印加し、下流側１色の転写バイアスを独立の供給電源系統から印加する技術を開示している。
一方、黒のみの画像を出力する時もカラーを出力する時と同じ動作が必要であり、また、黒ステージのみの動作で出力が可能であっても、例えば、中間像担持体を動作させるための時間及びコストが掛かり、結果として白黒作像装置（白黒複写機など）よりも出力に時間が掛かっていた。
【特許文献１】特開２００６−２４３５１４公報
【発明の開示】
【発明が解決しようとする課題】
【０００３】
しかしながら、特許文献１の技術はタンデム型転写装置のカラー３色のステージと黒ステージに印加するバイアスを分離する技術であり、転写紙に転写する技術は開示していない。
タンデム型画像形成装置は、カラー複写機の高速化を実現するために開発され、色毎に感光体、現像装置を設けるものであり、同時に各色を連続的に作像することができるためカラー画像を作像する際の高速化に向いている。
そこで、本発明の目的は、上述した実情を考慮して、フルカラー画像形成装置でありながら、白黒画像形成装置と同等のファーストコピー時間が得られる画像形成装置を提供することにある。
【課題を解決するための手段】
【０００４】
上記の課題を解決するために、請求項１に記載の発明は、感光体上に黒色を含む複数の色毎に静電潜像を作る作像装置と、前記静電潜像を色毎にトナー像にする現像装置と、前記感光体上に形成されたトナー像を順次中間像担持体に転写する転写装置と、前記中間像担持体に形成されたトナー像を給紙装置から搬送された転写紙に任意のバイアイスを印加することによって前記転写紙に画像を転写する転写紙転写装置と、さらに該転写紙転写装置の下流において前記転写紙上のトナー像を定着せしめる定着装置と、を具備する画像形成装置において、黒色トナー像以外のトナー像を選択的に前記中間像担持体に転写する画像形成装置を特徴とする。
【０００５】
また、請求項２に記載の発明は、感光体上に黒色を含む複数の色毎に静電潜像を作る作像装置と、前記静電潜像を色毎にトナー像にする現像装置と、前記感光体上に形成されたトナー像を順次中間像担持体に転写する転写装置と、前記中間像担持体に形成されたトナー像を給紙装置から搬送された転写紙に任意のバイアイスを印加することで前記転写紙上にトナー像を転写する形成せしめる写紙転写装置と、さらに該転写紙転写装置の下流において前記転写紙上のトナー像を定着せしめる定着装置と、を具備する画像形成装置において、前記中間像担持体上に転写された黒色以外のトナー像を、黒色トナー像を作像する感光体上に転写させる画像形成装置を特徴とする。
また、請求項３に記載の発明は、前記中間像担持体に転写された前記黒色以外のトナー像が、前記黒色トナー像より前に該黒色トナー像を作像する前記感光体に転写される請求項２記載の画像形成装置を特徴とする。
また、請求項４に記載の発明は、前記黒色以外のトナー像が、前記黒色トナー像より後に該黒色トナー像を作像する前記感光体に転写される請求項２記載の画像形成装置を特徴とする。
【０００６】
また、請求項５に記載の発明は、感光体上に黒色を含む複数の色毎に静電潜像を作る装置と、前記静電潜像を色毎にトナー像にする現像装置と、前記感光体上に形成されたトナー像を順次中間像担持体にする転写装置と、当該像担持体に形成されたトナー像を給紙装置から搬送された転写紙に任意のバイアイスを印加することで前記転写紙上にトナー像を転写する転写紙転写装置と、さらに該転写紙転写装置の下流において前記転写紙上のトナー像を定着せしめる定着装置と、を具備し、黒色のトナー像以外を選択的に前記中間像担持体に転写する画像形成装置において、前記中間像担持体に転写された黒色以外のトナー像を前記転写紙に直接転写する画像形成装置を特徴とする。
また、請求項６に記載の発明は、前記黒色以外のトナー像を黒色トナー像より先に前記転写紙に転写する請求項５記載の画像形成装置を特徴とする。
【０００７】
また、請求項７に記載の発明は、前記黒色以外のトナー像を前記黒色トナー像より後に前記転写紙に転写する請求項５記載の画像形成装置を特徴とする。
また、請求項８に記載の発明は、前記中間像担持体に前記黒色のトナー像以外のトナー像を選択的に転写し、前記中間像担持体は前記黒色トナー像を作像する前記感光体に対してのみ接離可能とする請求項５記載の画像形成装置を特徴とする。
また、請求項９に記載の発明は、前記中間像担持体を前記転写紙に対して接離可能とする請求項５記載の画像形成装置を特徴とする。
【発明の効果】
【０００８】
本発明によれば、白黒作像とフルカラー作像とを分離しているので白黒作像時の時間を短縮でき、また、フルカラー作像装置においては白黒トナー像とそれ以外のトナー像の重ね順を選択できるので、装置レイアウト及び作像装置の特性に合わせた画像形成装置を作ることができる。
【発明を実施するための最良の形態】
【０００９】
以下、図面を参照して、本発明の実施の形態を詳細に説明する。図１はタンデム型の中間転写装置を搭載したカラー画像形成装置の全体を示す概略図である。図２は図１の画像形成部の１部分を拡大して示す概略図である。図１及び図２において、画像形成装置Ａのプリンタ（画像形成部）１には、中央に、中間転写ユニットがあり、この中間転写ユニットには、中間像担持体である無端ベルトからなる中間転写ベルト１０がある。
中間転写ベルト１０は、３つの支持ローラ１４〜１６に掛け廻されており、時計回りに回動駆動される。第２の支持ローラ１５の左に、画像転写後に中間転写ベルト１０上に残留する残留トナーを除去する中間転写体クリーニングユニット１７がある。
第１の支持ローラ１４と第２の支持ローラ１５との間の中間転写ベルト１０には、その移動方向に沿って、イエロー（Ｙ）、シアン（Ｃ）、マゼンタ（Ｍ）及びブラック（Ｋ）の各色の作像装置２０がある。この作像装置２０はチャージャユニット１８、現像ユニット（符号なし）、感光体クリーニングユニット（符号なし）、感光体ドラムユニット４０等を含んで形成されている。
【００１０】
作像装置２０の上方には、各色感光体ドラムユニット４０の各感光体ドラム４０Ｙ、４０Ｃ、４０Ｍ、４０Ｋに画像形成のためのレーザ光を照射する書き込みユニット２１がある。中間転写ベルト１０の下方には、２次転写ユニット２２がある。転写紙転写装置である２次転写ユニット２２は、１つは２次転写対向ローラである２つの転写紙転写搬送ローラ２３間に、無端ベルトである２次転写ベルト２４を掛け渡して、中間転写ベルト１０を押し上げて第３の支持ローラ１６に押し当てるように配置した構成である。
この２次転写ベルト２４は、中間転写ベルト１０上の画像を、転写紙上に転写する。２次転写装置２２の横には、転写紙上の転写画像を定着する定着ユニット２５があり、トナー像が転写された転写紙がこの定着ユニット２５に送り込まれる。定着ユニット２５は、無端ベルトである定着ベルト２６に加熱及び加圧ローラ２７を押し当てたものである。
【００１１】
２次転写ユニット２２及び定着ユニット２５の下方に、表面に画像を形成した直後の転写紙を、裏面にも画像を記録するために表裏を反転して送り出すシート反転ユニット２８がある。
図示してない操作部ユニットのスタートスイッチが押されると、原稿自動搬送装置（ＡＤＦ）４の原稿給紙台３０上に原稿がある時は、それをコンタクトガラス３２上に搬送する。
ＡＤＦ４に原稿が無い時にはコンタクトガラス３２上の手置きの原稿を読むために、画像読み取りユニット３のスキャナを駆動し、第１キャリッジ３３及び第２キャリッジ３４を読み取り走査駆動する。
そして、第１キャリッジ３３上の光源からコンタクトガラス３２に光を発射するとともに原稿面からの反射光を第１キャリッジ３３上の第１ミラーで反射して第２キャリッジ３４に向け、第２キャリッジ３４上のミラーで反射して結像レンズ３５を通して読み取りセンサであるＣＣＤ３６に結像する。読み取りセンサ３６で得た画像信号に基づいてＹ、Ｃ、Ｍ、Ｋの各色記録データが生成される。
【００１２】
また、スタートスイッチが押された時に、中間転写ベルト１０の回動駆動が開始されるとともに、作像装置２０の各ユニットの作像準備が開始され、そして各色作像の作像シーケンスが開始されて、各色用の感光体ドラム４０Ｙ、４０Ｃ、４０Ｍ、４０Ｋに各色記録データに基づいて変調された露光レーザが投射され、各色作像プロセスにより、各色トナー像が中間転写ベルト１０上に１枚の画像として、重ね転写される。
このトナー画像の先端が２次転写ユニット２２に進入する時に同時に先端が２次転写ユニット２２に進入するようにタイミングを測って転写紙が２次転写ユニット２２に送り込まれ、これにより中間転写ベルト１０上のトナー像が２次転写ベルト２４上で転写紙に転写される。
【００１３】
トナー像が移った転写紙は定着ユニット２５に送り込まれ、そこでトナー像が転写紙に定着される。ここでは中間転写ベルト１０及び２次転写ベルト２４の２つの転写ベルトを有する機構を説明した。しかし、転写機構には、１つのベルトで行うことができる転写機構もある。
なお、上述の転写紙は、給紙部（給紙テーブル）２の給紙ローラ４２の１つを選択的に回転駆動し、給紙ユニット４３に多段に備える給紙トレイ４４の１つから転写紙を繰り出し、分離ローラ４５で１枚だけ分離して、搬送コロユニット４６に入れられる。
次いで、転写紙を搬送ローラ４７で搬送して、プリンタ１内の搬送コロユニット４８に導き、搬送コロユニット４８のレジストローラ４９に突き当てて止めてから、前述のタイミングで２次転写ユニット２２に送り出すようになっている。
【００１４】
定着ユニット２５で定着処理を受けて排出される転写紙は、切り換え爪５５で排出ローラ５６に案内して排紙トレイ５７上にスタックする。又は、切り換え爪５５でシート反転ユニット２８に案内して、そこで反転して再び転写位置へと導き、裏面にも画像を記録した後、排出ローラ５６で排紙トレイ５７上に排出する。
一方、画像転写後の中間転写ベルト１０上に残留する残留トナーは、中間転写ベルト１０の下方に設けた中間転写体クリーニングユニット１７で除去し、再度の画像形成に備える。符号６２は１次転写バイアスローラを示している。
より高速化に対応可能なタンデム型作像装置では、色毎に感光体ドラムユニット４０が並列されており、各々で作像されたトナー画像は、順次中間像担持体（ここでは、中間転写ベルト１０）に転写され、転写紙転写ローラ２３で転写紙に転写される。
とくに、カラー画像の場合は前述のごとく作像にタイムラグが無いため高速作像に適している反面、白黒画像の場合もカラー画像時と同様の動作が必要なため、白黒単独の画像形成装置の場合と比較するとファーストコピーに時間が掛かっている。
【００１５】
このように、本発明を適用する画像形成装置Ａは、感光体ドラム４０上に色毎に静電潜像を作る作像装置２０と、静電潜像を色毎にトナー像にする現像装置と、感光体ドラム４０上に形成されたトナー像を順次中間像担持体である中間転写ベルト１０に転写する中間転写ユニットと、中間像担持体に形成されたトナー像を給紙部２から搬送された転写紙に任意のバイアイスを印加することで転写紙に画像を形成せしめる転写紙転写装置である２次転写ユニット２２と、さらに下流において転写紙上のトナー像を定着せしめる定着ユニット２５と、を具備している。
かかる画像形成装置Ａでは、イエロー（Ｙ）、シアン（Ｃ）、マゼンタ（Ｍ）、ブラック（Ｋ）のいずれか１色の画像を形成する単色モード、イエロー（Ｙ）、シアン（Ｃ）、マゼンタ（Ｍ）、ブラック（Ｋ）のいずれか２色の画像を重ねて形成する２色モード、イエロー（Ｙ）、シアン（Ｃ）、マゼンタ（Ｍ）、ブラック（Ｋ）のいずれか３色の画像を重ねて形成する３色モード、前述のような４色の重ね画像を形成するフルカラーモードを有している。
これらのモードの切り換えのすべては図示してないが、操作部にて指定可能である。単色モードのうち、ブラック（Ｋ）１色によるモードを白黒モードといい、これ以外はカラーモードである。
【００１６】
図３は本発明による画像形成装置の画像形成部の１部分の第１の実施の形態を概念的に示す概略図である。図３において、中間転写ベルト１０上には各色用の感光体ドラム４０Ｙ、４０Ｃ、４０Ｍが１次転写バイアスローラ６２Ｙ、４０Ｃ、４０Ｍに対向して配置されている。
感光体ドラム４０Ｋは中間転写ベルト１０の上方に距離を置いて配置されている。感光体ドラム４０Ｋは転写紙転写ローラ（２次転写ローラ）５との間に転写ギャップを形成している。本発明では、黒色トナー像以外のトナー像を、上述したモードに応じて、選択的に中間像担持体である中間転写ベルト１０に転写するようにしている。
【００１７】
第１の実施の形態では、黒色作像用感光体ドラム４０Ｋに他の３色の像を転写させる例を示している。また、ここでは、黒色作像用感光体ドラム４０Ｋに作像された黒色トナー像の上に他の３色のトナー像を転写させる例である。
この第１の実施の形態では、黒色作像用感光体ドラム４０Ｋは中間転写ベルト１０上から離れて配置されている。この場合、黒色作像用感光体ドラム４０Ｋへの中間転写ベルト１０の接離は、一端を１次転写バイアスローラ６２Ｋに取り付けた、ここでは単にレバーとして示される揺動部材６３と、この揺動部材６３の他端を回転中心６３ａとする接離機構によって行なう。
【００１８】
揺動部材６３の下方にモータ（図示せず）で回転駆動する接離カム６４を配置する。従って、モータを駆動すると、長円状の接離カム６４がその一端に設けた軸を中心として回転し、中間転写ベルト１０を黒色作像用感光体ドラム４０Ｋに近づける。これにより黒色トナー像が黒色作像用感光体ドラム４０Ｋ上に作像され、この黒色トナー像は図１の２次転写ユニットの転写紙転写搬送ベルト２４と同じ役割である２次転写ローラ５によって転写紙Ｐに転写される。
かかる構成によれば、上述したように、黒色作像用感光体ドラム４０Ｋに他の３色の像を転写させることができ、また、黒色作像用感光体ドラム４０Ｋに作像された黒色トナー像の上に他３色のトナー像を転写させることができる。
【００１９】
図４は本発明による画像形成装置の画像形成部の１部分の第２の実施の形態を概念的に示す概略図である。図４において、中間転写ベルト１０の下には各色用の感光体ドラム４０Ｙ、４０Ｃ、４０Ｍが１次転写バイアスローラ６２に対向して配置されている。
この第２の実施の形態でも、黒色トナー像以外のトナー像に関しては選択的に中間像担持体である中間転写ベルト１０に転写するようにしている。しかしながら、中間転写ベルト１０上に転写された黒色以外のトナー像は、黒色トナー像を作像する感光体ドラム４０Ｋ上に転写させられるようになっている。
この第２の実施の形態では、黒色トナー像を作像する感光体ドラム４０Ｋに中間転写ベルト１０を接離する接離機構は、一端を１次転写バイアスローラ６２Ｋに取り付けた、揺動部材６３を、この揺動部材６３の他端を回転中心６３ａとして揺動させて感光体ドラム４０Ｋに接離するようにしているが、第１の実施の形態におけると同じであるので、同一部分に同一符号を付してここでの詳細な説明は省略する。
第１及び第２の実施の形態は、トナーの特性や、レイアウト上の設置制限などにより使い分ける。この動作により白黒コピー時のファーストコピー時間を損なうことがなくなる。
【００２０】
図５は本発明による画像形成装置の画像形成部の１部分の第３の実施の形態を概念的に示す概略図である。図５において、中間転写ベルト１０の下には各色用の感光体ドラム４０Ｙ、４０Ｃ、４０Ｍが１次転写バイアスローラ６２に対向して配置されている。
この第３の実施の形態では、上記の実施の形態と同様な効果を狙い、前述の３色のトナー像が転写された中間転写ベルト１０を転写紙Ｐに直接接触させるようにしている。この場合、転写紙Ｐへの中間転写ベルト１０の接離は、一端を中間転写ベルト１０の支持ローラ１４に取り付けた、ここでは単にレバーとして示される揺動部材６３と、この揺動部材６３の他端を回転中心６３ａとする接離機構によって行なう。
【００２１】
揺動部材６３の下方にモータ（図示せず）で回転駆動する接離カム６４を配置する。従って、モータを駆動すると、接離カム６４が回転し、中間転写ベルト１０を転写紙Ｐに近づける。これにより２次転写対向ローラ２３によって中間転写ベルト１０上の黒色以外のトナー像が転写紙Ｐに転写される。
ここでは、黒色トナー像は、中間転写ベルト１０上の黒色以外のトナー像が転写紙Ｐに転写された後に、黒色作像用感光体ドラム４０Ｋ上に作像され、この黒色トナー像は図１の２次転写ユニットの転写紙転写搬送ベルト２４と同じ役割である２次転写ローラ５によって白黒作像装置と同様に転写紙Ｐに転写される。従って、前述と同様ファーストコピー時間をフルカラー作像装置でありながら白黒作像装置と同等にすることができる。
【００２２】
図６は本発明による画像形成装置の画像形成部の１部分の第４の実施の形態を概念的に示す概略図である。図４において、中間転写ベルト１０の下には各色用の感光体ドラム４０Ｙ、４０Ｃ、４０Ｍが１次転写バイアスローラ６２に対向して配置されている。
この第４の実施の形態では、上記の実施の形態と同様な効果を狙い、前述の３色のトナー像が転写された中間転写ベルト１０を転写紙Ｐに直接接触させるようにしている。この場合、転写紙Ｐへの中間転写ベルト１０の接離は、第３の実施の形態におけると同様に、一端を中間転写ベルト１０の支持ローラ１４に取り付けた、ここでは単にレバーとして示される揺動部材６３と、この揺動部材６３の他端を回転中心６３ａとする接離機構によって行なう。
【００２３】
揺動部材６３の下方にモータ（図示せず）で回転駆動する接離カム６４を配置する。従って、モータを駆動すると、接離カム６４が回転し、中間転写ベルト１０を転写紙Ｐに近づける。これにより２次転写対向ローラ２３によって中間転写ベルト１０上の黒色以外のトナー像が転写紙Ｐに転写される。
ここでは、黒色トナー像は、中間転写ベルト１０上の黒色以外のトナー像が転写紙Ｐに転写される前に、黒色作像用感光体ドラム４０Ｋ上に作像される。この黒色トナー像は図１の２次転写ユニットの転写紙転写搬送ベルト２４と同じ役割である２次転写ローラ５によって白黒作像装置と同様に転写紙Ｐに転写される。従って、前述と同様ファーストコピー時間をフルカラー作像装置でありながら白黒作像装置と同等にすることができる。
【図面の簡単な説明】
【００２４】
【図１】タンデム型の中間転写装置を搭載したカラー画像形成装置の全体を示す概略図である。
【図２】図１の画像形成部の１部分を拡大して示す概略図である。
【図３】本発明による画像形成装置の画像形成部の１部分の第１の実施の形態を概念的に示す概略図である。
【図４】本発明による画像形成装置の画像形成部の１部分の第２の実施の形態を概念的に示す概略図である。
【図５】本発明による画像形成装置の画像形成部の１部分の第３の実施の形態を概念的に示す概略図である。
【図６】本発明による画像形成装置の画像形成部の１部分の第４の実施の形態を概念的に示す概略図である。
【符号の説明】
【００２５】
Ａ  画像形成装置、５  ２次転写ローラ、１０  中間像担持体（中間転写ベルト）、１４  支持ローラ、１５  支持ローラ  、２２  ２次転写装置、２３  転写紙搬送ローラ（２次転写対向ローラ）、４０Ｋ  黒色作像用感光体ドラム、６２Ｋ  １次転写バイアスローラ、６３  揺動部材（接離機構）、６３ａ  回転中心（接離機構）、６４  接離カム（接離機構）
【図１】
2009210939.tif 000003
【図２】
2009210939.tif 000004
【図３】
2009210939.tif 000005
【図４】
2009210939.tif 000006
【図５】
2009210939.tif 000007
【図６】
2009210939.tif 000008